(57)【特許請求の範囲】
【請求項１】
（ａ）ＦＰＣの幅方向に延在する導電性のシールドを有し、前記ＦＰＣの先端近傍に取付けられ、ＦＰＣ用コネクタと嵌合してＦＰＣをＦＰＣ用コネクタに電気的に接続するシールド付ＦＰＣアダプタであって、
（ｂ）前記ＦＰＣの幅方向に延在し、前記ＦＰＣの先端近傍が挿入される挿入開口が形成されたアダプタ本体を有し、
（ｃ）前記シールドは、前記挿入開口内の両端に位置する接触部を両端に備え、
（ｄ）該接触部は、前記ＦＰＣの幅方向両端において一方の面に露出するグランド層と平行な接触面を備え、該接触面が前記グランド層と面接触し、
（ｅ）前記シールドは、前記挿入開口内の両端に位置する押付部を両端に更に備え、
（ｆ）該押付部は、前記ＦＰＣの他方の面に当接し、前記グランド層を前記接触部に押付け、
（ｇ）前記シールドは、本体部に対してほぼ直角に折曲げられて形成され、前記挿入開口内の両端に位置する係合片を両端に更に備え、
（ｈ）前記接触部は、前記係合片の先端が内方にほぼ直角に折曲げられて形成され、
（ｉ）前記押付部は、前記係合片の一部が切起こされて内方にほぼ直角に折曲げられて形成されることを特徴とするシールド付ＦＰＣアダプタ。
【請求項２】
前記係合片は、前記挿入開口に挿入されるＦＰＣの幅方向の位置決めを行う請求項１に記載のシールド付ＦＰＣアダプタ。
【請求項３】
前記ＦＰＣの幅方向両端の側端壁は、前記アダプタ本体に覆われている請求項１に記載のシールド付ＦＰＣアダプタ。
【請求項４】
（ａ）前記ＦＰＣの幅方向に延在し、前記挿入開口におけるＦＰＣの一方の面に対向する面を画定する第１ガイド部材と、
（ｂ）前記ＦＰＣの幅方向に延在し、前記挿入開口におけるＦＰＣの他方の面に対向する面を画定する第２ガイド部材と、
（ｃ）前記第１ガイド部材及び第２ガイド部材の長手方向両端を接続する側壁部材と、
（ｄ）該側壁部材と一体的に形成され、前記第２ガイド部材の前端面より突出する突起部材とを有し、
（ｅ）前記第２ガイド部材の前端面は第１ガイド部材の前端面より突出し、
（ｆ）前記ＦＰＣの一方の面は、先端から所定の範囲が前記第２ガイド部材上において前記挿入開口外に露出し、
（ｇ）前記ＦＰＣの幅方向両端近傍は、側端から所定の範囲が前記側壁部材及び突起部材内に位置する請求項３に記載のシールド付ＦＰＣアダプタ。
【発明の詳細な説明】
【技術分野】
【０００１】
本発明は、シールド付ＦＰＣアダプタに関するものである。
【背景技術】
【０００２】
従来、フレキシブル回路基板（ＦＰＣ：Ｆｌｅｘｉｂｌｅ  Ｐｒｉｎｔｅｄ  Ｃｉｒｃｕｉｔ）、フレキシブルフラットケーブル（ＦＦＣ：Ｆｌｅｘｉｂｌｅ  Ｆｌａｔ  Ｃａｂｌｅ）等と称される平板状可撓（とう）性ケーブルを接続するためにＦＰＣ用コネクタが使用されている。なお、本明細書においては、フレキシブル回路基板、フレキシブルフラットケーブル等の平板状可撓性ケーブルを「ＦＰＣ」と称することとする。
【０００３】
前記ＦＰＣ用コネクタは、ＦＰＣを挿入するための挿入口を備えるハウジングと、該ハウジングに並列して取付けられ、コンタクト片が前記挿入口から挿入されたＦＰＣの面と対向して延在する複数個の端子と、ＦＰＣの接地用パッドと接触する接地用コンタクトが形成された金属シェルとを有する（例えば、特許文献１参照。）。そして、該金属シェルによってＦＰＣ用コネクタの少なくとも一部を覆い、かつ、金属シェル及びＦＰＣを接地することによって、電磁場からシールドするとともに、ノイズの発生を抑制したり、発生したノイズを逃がしたりするようになっている。
【０００４】
図７は従来のＦＰＣ用コネクタの金属シェルを示す斜視図である。
【０００５】
図において、３０１はＦＰＣ用コネクタの金属シェルであり、金属板に打抜加工、折曲加工等の加工を施すことによって作成されている。そして、前記金属シェル３０１は、図示されないＦＰＣの接地用パッドに対応するように形成された一対の接地用コンタクト３０３を左右に備える。該接地用コンタクト３０３は、プレス加工等によって、金属シェル３０１の天板部３０２から下方に向けて垂直に延在する切片として切起こされ、該切片を略Ｌ字状となるように折曲げて形成したものである。そして、前記接地用コンタクト３０３の自由端には、上方に向けて膨出し、円弧状の上面を備える接触部３０４が形成され、該接触部３０４がＦＰＣの接地用パッドに弾性的に接触するようになっている。
【特許文献１】特開２００５−１２９４９０号公報
【発明の開示】
【発明が解決しようとする課題】
【０００６】
しかしながら、前記従来のＦＰＣ用コネクタの金属シェルにおいては、ＦＰＣの接地用パッドに接触する接触部３０４の上面が円弧状になっているので、ＦＰＣの接地用パッドと接触部３０４との接触箇所の面積が極めて限定され、事実上の点接触になってしまう。そのため、ＦＰＣの接地用パッドと接触部３０４との接触箇所におけるインピーダンスが高くなり、ノイズの発生を適切に抑制したり、発生したノイズを十分に逃がしたりすることができなくなってしまう。もっとも、接地用コンタクト３０３を多数形成して、ＦＰＣの接地用パッドと接触部３０４との接触箇所の数を多くすれば、接触箇所の総計面積が広くなり、全体としてのインピーダンスを低下させることができる。しかし、この場合、接地用コンタクト３０３を多数形成する必要があるので、ＦＰＣ用コネクタの構成が複雑になり、コストも高くなってしまう。
【０００７】
また、前記従来のＦＰＣ用コネクタは、ＦＰＣを直接挿入するようになっているところ、ＦＰＣは、剛性が低いので、ＦＰＣ用コネクタの挿入口に挿入する際の挿入抵抗によって、変形したり、端部に捲（まく）れが発生したりしてしまう。もっとも、挿入口の厚さ方向の寸法をＦＰＣの厚さよりも十分に大きな寸法で形成して挿入抵抗をゼロにし、ＦＰＣの挿入後にアクチュエータを作動させて、ＦＰＣをコネクタの接続端子に押付けるＺＩＦ（Ｚｅｒｏ−Ｉｎｓｅｒｔｉｏｎ  Ｆｏｒｃｅ）型のＦＰＣ用コネクタもあるが、ＺＩＦ型のＦＰＣ用コネクタは、構造が複雑で大型化してしまう。
【０００８】
本発明は、前記従来の問題点を解決して、ＦＰＣの長さ方向先端近傍においてＦＰＣに取付けられるとともに、ＦＰＣの幅方向両端においてＦＰＣのグランド層に面接触する接触部が一体的に形成された導電性金属から成るシールド機能を備えるシェルを有することによって、ＦＰＣのグランド層とシェルとの接触箇所におけるインピーダンスを低下させて、ノイズの発生を適切に抑制し、かつ、発生したノイズを十分に逃がすことができ、構造を簡素化することができ、ＦＰＣ用コネクタに対してＦＰＣの捲れを生じさせることなく、適正な姿勢で、かつ、容易に挿入して接続させることができるシールド付ＦＰＣアダプタを提供することを目的とする。
【課題を解決するための手段】
【０００９】
そのために、本発明のシールド付ＦＰＣアダプタにおいては、ＦＰＣの幅方向に延在する導電性のシールドを有し、前記ＦＰＣの先端近傍に取付けられ、ＦＰＣ用コネクタと嵌（かん）合してＦＰＣをＦＰＣ用コネクタに電気的に接続するシールド付ＦＰＣアダプタであって、前記ＦＰＣの幅方向に延在し、前記ＦＰＣの先端近傍が挿入される挿入開口が形成されたアダプタ本体を有し、前記シールドは、前記挿入開口内の両端に位置する接触部を両端に備え、該接触部は、前記ＦＰＣの幅方向両端において一方の面に露出するグランド層と平行な接触面を備え、該接触面が前記グランド層と面接触し、前記シールドは、前記挿入開口内の両端に位置する押付部を両端に更に備え、該押付部は、前記ＦＰＣの他方の面に当接し、前記グランド層を前記接触部に押付け、前記シールドは、本体部に対してほぼ直角に折曲げられて形成され、前記挿入開口内の両端に位置する係合片を両端に更に備え、前記接触部は、前記係合片の先端が内方にほぼ直角に折曲げられて形成され、前記押付部は、前記係合片の一部が切起こされて内方にほぼ直角に折曲げられて形成される。
【００１２】
本発明の更に他のシールド付ＦＰＣアダプタにおいては、さらに、前記係合片は、前記挿入開口に挿入されるＦＰＣの幅方向の位置決めを行う。
【００１３】
本発明の更に他のシールド付ＦＰＣアダプタにおいては、さらに、前記ＦＰＣの幅方向両端の側端壁は、前記アダプタ本体に覆われている。
【００１４】
本発明の更に他のシールド付ＦＰＣアダプタにおいては、さらに、前記ＦＰＣの幅方向に延在し、前記挿入開口におけるＦＰＣの一方の面に対向する面を画定する第１ガイド部材と、前記ＦＰＣの幅方向に延在し、前記挿入開口におけるＦＰＣの他方の面に対向する面を画定する第２ガイド部材と、前記第１ガイド部材及び第２ガイド部材の長手方向両端を接続する側壁部材と、該側壁部材と一体的に形成され、前記第２ガイド部材の前端面より突出する突起部材とを有し、前記第２ガイド部材の前端面は第１ガイド部材の前端面より突出し、前記ＦＰＣの一方の面は、先端から所定の範囲が前記第２ガイド部材上において前記挿入開口外に露出し、前記ＦＰＣの幅方向両端近傍は、側端から所定の範囲が前記側壁部材及び突起部材内に位置する。
【発明の効果】
【００１５】
本発明によれば、シールド付ＦＰＣアダプタは、ＦＰＣの長さ方向先端近傍においてＦＰＣに取付けられるようになっている。また、ＦＰＣの幅方向両端においてＦＰＣのグランド層に面接触する接触部が一体的に形成された導電性金属から成るシールド機能を備えるシェルを有する。これにより、ＦＰＣのグランド層とシェルとの接触箇所におけるインピーダンスを低下させて、ノイズの発生を適切に抑制し、かつ、発生したノイズを十分に逃がすことができ、構造を簡素化することができ、ＦＰＣ用コネクタに対してＦＰＣの捲れを生じさせることなく、適正な姿勢で、かつ、容易に挿入して接続させることができる。
【発明を実施するための最良の形態】
【００１６】
以下、本発明の実施の形態について図面を参照しながら詳細に説明する。
【００１７】
図１は本発明の実施の形態におけるシールド付ＦＰＣアダプタを示す斜視図、図２は本発明の実施の形態におけるシールド付ＦＰＣアダプタの詳細を示す斜視図であり図１のＡ部拡大図、図３は本発明の実施の形態におけるＦＰＣの詳細を示す斜視図であり図２に対応する部分を示す図である。
【００１８】
図において、２０は本実施の形態におけるシールド付ＦＰＣアダプタであり、ＦＰＣ１０の長さ方向（図１における上下方向）両側の先端近傍においてＦＰＣ１０に取付けられ、該ＦＰＣ１０を図示されないＦＰＣ用コネクタに電気的に接続するために使用される。なお、本実施の形態において、ＦＰＣは、「背景技術」の項において説明したように、一般的にＦＰＣと称されるフレキシブル回路基板だけでなく、ＦＦＣと称されるフレキシブルフラットケーブルも含めた平板状可撓性ケーブルのことを意味する。また、本実施の形態において、ＦＰＣ１０及びシールド付ＦＰＣアダプタ２０の各部の構成及び動作を説明するために使用される上、下、左、右、前、後等の方向を示す表現は、絶対的なものでなく相対的なものであり、ＦＰＣ１０及びシールド付ＦＰＣアダプタ２０が図に示される姿勢である場合に適切であるが、ＦＰＣ１０及びシールド付ＦＰＣアダプタ２０の姿勢が変化した場合には姿勢の変化に応じて変更して解釈されるべきものである。
【００１９】
ここで、ＦＰＣ１０は、例えば、液晶ディスプレイ、プラズマディスプレイ等のような狭い実装空間での使用に適しており、内部には、ＦＰＣ１０の長さ方向に延在する箔（はく）状の導電性金属から成る信号線１２を複数本、例えば、４０本程度、所定のピッチ、例えば、約０．５〔ｍｍ〕で並列に配設している。なお、前記信号線１２は、図３に示されるように、電気的絶縁性を示すフィルム状の第１絶縁層１４及び第２絶縁層１５によって上下両面から挟込まれるようにして被覆されている。また、第２絶縁層１５の下側には、ノイズ等を防止するために、箔状の導電性金属から成るグランド線が少なくとも１本、ＦＰＣ１０の長さ方向に延在するように配設されている。そして、前記ＦＰＣ１０の長さ方向先端縁から所定範囲（本実施の形態においては、ＦＰＣ１０の長さ方向であって、後述される耳部１１の長さ又はそれより若干大きい長さ）においては、第１絶縁層１４等の被覆が取除かれ、信号線１２の上面が露出している。
【００２０】
また、前記ＦＰＣ１０の長さ方向先端近傍には、ＦＰＣ１０の幅方向両側から横方向に突出する耳部１１が形成されている。ここで、該耳部１１は、ＦＰＣ１０の長さ方向先端縁から所定範囲に延在するが、該所定範囲は、第１絶縁層１４等の被覆が取除かれて信号線１２が露出している範囲内であり、後述されるシェル４０の接触部４３及び押付部４５と十分に接触する範囲である。さらに、前記ＦＰＣ１０は、第２絶縁層１５の下側の面に固着された板状の補強部材としての補強フィルム１３を有する。ここで、該補強フィルム１３は、ＦＰＣ１０の長さ方向先端縁から所定範囲に延在するが、該所定範囲は、第１絶縁層１４等の被覆が取除かれて信号線１２が露出している範囲よりも大きな範囲である。なお、前記補強フィルム１３は、耳部１１の下側にも固着されている。
【００２１】
そして、該耳部１１における第２絶縁層１５の上側には、箔状の導電性金属から成るグランド層１６の上面が露出している。また、前記耳部１１における第２絶縁層１５の下側には、箔状の導電性金属から成る図示されないグランド結合線が配設されており、前記グランド層１６は、導電性ビアホール（Ｖｉａ−ｈｏｌｅ）１７を介して、グランド結合線と電気的に接続されている。該グランド結合線は、前記グランド線に接続されるとともに、ＦＰＣ１０の幅方向に延在して左右両側の耳部１１の下側を結び、左右両側のグランド層１６と導電性ビアホール１７を介して、電気的に接続されている。そのため、左右両側のグランド層１６、グランド線及びグランド結合線は、相互に電気的に接続され、同電位となっている。
【００２２】
また、前記シールド付ＦＰＣアダプタ２０は、合成樹脂等の絶縁性材料によって一体的に形成されており、図１において横方向に延在する細長い第１ガイド部材２１、該第１ガイド部材２１と平行に延在する細長い第２ガイド部材２２、並びに、前記第１ガイド部材２１及び第２ガイド部材２２の長手方向両端を接続する側壁部材２３を有する。そして、前記第１ガイド部材２１と第２ガイド部材２２との間には、ＦＰＣ１０の長さ方向先端が挿入されるスリット状の挿入開口２４が形成されている。すなわち、第１ガイド部材２１は、挿入開口２４におけるＦＰＣ１０の一方の面に対向する面を画定し、第２ガイド部材２２は、挿入開口２４におけるＦＰＣ１０の他方の面に対向する面を画定する。なお、アダプタ本体２０ａは挿入開口２４を形成する第１ガイド部材２１、第２ガイド部材２２、挿入開口２４の両端付近に位置するガイド突起部材２５及び第１ガイド部材２１と第２ガイド部材２２とを両端で一体に連結する側壁部材２３で形成されている。そして、挿入開口２４は、ＦＰＣ１０の長さ方向にシールド付ＦＰＣアダプタ２０を貫通するように形成され、ＦＰＣ１０は、シールド付ＦＰＣアダプタ２０の後面（図１において２つのシールド付ＦＰＣアダプタ２０が互いに向かい合う面）から前記挿入開口２４に挿入される。なお、該挿入開口２４の第１ガイド部材２１側の縁は、上下方向に延在する多数の溝２４ａが形成されて櫛（くし）歯状になっているが、前記溝２４ａの数、大きさ、間隔等は、必要に応じて適宜変更することができ、また、前記溝２４ａを省略することもできる。
【００２３】
ここで、前記第１ガイド部材２１のＦＰＣ１０の長さ方向に関する寸法は、前記第２ガイド部材２２のＦＰＣ１０の長さ方向に関する寸法よりも短く、第１ガイド部材２１の後端面と第２ガイド部材２２の後端面とは同一面となってシールド付ＦＰＣアダプタ２０の後面を形成する。そのため、第２ガイド部材２２の前端面は、第１ガイド部材２１の前端面よりもＦＰＣ１０の長さ方向先端側に突出し、シールド付ＦＰＣアダプタ２０の前面に段差を形成する。そして、ＦＰＣ１０は、第１絶縁層１４が第１ガイド部材２１側を向き、第２絶縁層１５が第２ガイド部材２２側を向くように前記挿入開口２４に挿入される。これにより、図２に示されるように、シールド付ＦＰＣアダプタ２０がＦＰＣ１０に取付けられると、ＦＰＣ１０の先端から所定の範囲は前記段差、すなわち、第２ガイド部材２２の上において露出され、信号線１２が上に向けて露出された状態となる。
【００２４】
なお、シールド付ＦＰＣアダプタ２０がＦＰＣ１０に取付けられた状態において、ＦＰＣ１０の先端は、第２ガイド部材２２の先端よりも突出しないようになっている。そして、第２ガイド部材２２の先端上縁は、わずかに上方に突出し、ＦＰＣ１０の先端を保護するようになっている。これにより、ＦＰＣ用コネクタにシールド付ＦＰＣアダプタ２０が取付けられたＦＰＣ１０を挿入する際に、該ＦＰＣ１０の先端がＦＰＣ用コネクタの端子等に当接して損傷を受けたり、捲れたりすることが防止される。
【００２５】
また、前記シールド付ＦＰＣアダプタ２０の両端には、突起部材としてのガイド突起部材２５が側壁部材２３と一体的に形成されている。前記ガイド突起部材２５は、前端が第２ガイド部材２２の前端面よりも突出し、ＦＰＣ用コネクタにシールド付ＦＰＣアダプタ２０が取付けられたＦＰＣ１０を挿入する際のガイドとして機能する。なお、前記ガイド突起部材２５には、挿入開口２４と連通するスリット状の凹溝２５ａが形成され、該凹溝２５ａ内にＦＰＣ１０の耳部１１の両端近傍部が収容される。すなわち、ＦＰＣ１０の耳部１１の両端近傍部が凹溝２５ａに収容され、ＦＰＣ１０の幅方向両端近傍は、側端から所定の範囲が（本実施の形態においては、側端からビアホール１７付近までが）ガイド突起部材２５内に位置しているので、ＦＰＣ１０の幅方向両端の側端壁は、挿入開口２４外に露出していない。そのため、ＦＰＣ用コネクタにシールド付ＦＰＣアダプタ２０が取付けられたＦＰＣ１０を挿入する際に、該ＦＰＣ１０の耳部１１の両端がＦＰＣ用コネクタの端子等に当接して損傷を受けたり、捲れたりすることが防止される。なお、ガイド突起部材２５には、後述されるシェル４０を取付けるための取付孔（こう）２９が形成されている。
【００２６】
さらに、前記挿入開口２４内の両端近傍には、挿入開口２４に挿入されたＦＰＣ１０が抜出ることを防止するためのばねフック２６が配設されている。該ばねフック２６は、第１ガイド部材２１と一体的に形成され、挿入開口２４に挿入されたＦＰＣ１０の耳部１１の後縁に係合してＦＰＣ１０がシールド付ＦＰＣアダプタ２０の後面方向に移動することを防止する。なお、前記ばねフック２６の後方側は、ＦＰＣ１０の耳部１１の進入が容易となるように、傾斜したテーパ面となっている。また、ＦＰＣ１０がシールド付ＦＰＣアダプタ２０の前面方向に移動することは、耳部１１の前縁がガイド突起部材２５の凹溝２５ａの前端に当接するとともに、ＦＰＣ１０の先端が第２ガイド部材２２の先端上縁に当接することによって防止される。そのため、シールド付ＦＰＣアダプタ２０の後面から挿入開口２４内にＦＰＣ１０の先端を挿入させるという一動作、すなわち、ワンアクションを行うだけで、ＦＰＣ１０の先端近傍の所定位置にシールド付ＦＰＣアダプタ２０を容易に取付けることができる。
【００２７】
また、前記シールド付ＦＰＣアダプタ２０には、金属製のロック部材３０及びシェル４０が取付けられている。前記ロック部材３０は、ＦＰＣ用コネクタにシールド付ＦＰＣアダプタ２０が取付けられたＦＰＣ１０を挿入して接続する際に、ＦＰＣ用コネクタ側のロック手段と係合して、ＦＰＣ用コネクタにシールド付ＦＰＣアダプタ２０をロックするための部材である。そのため、前記ロック部材３０は、弾性を備える金属板から形成され、弾性的に変位する自由端にはＦＰＣ用コネクタ側のロック手段と係合するフック片３１が接続されている。そして、前記ロック部材３０は側壁部材２３内に埋込まれるようにして取付けられ、フック片３１はガイド突起部材２５の外側壁面から凹入可能に突出している。なお、側壁部材２３には、前記ロック部材３０の自由端を強制的に変位させてフック片３１をガイド突起部材２５に凹入させるための操作部材２７が一体的に接続されている。これにより、オペレータが手指によって前記操作部材２７を操作すると、ＦＰＣ用コネクタとのロックを解除させることができる。
【００２８】
次に、前記シェル４０がグランド層１６に接触する部分の構成について説明する。
【００２９】
図４は本発明の実施の形態におけるシェルがグランド層に接触する状態を示す斜視図であり図２に対応する部分を示す図、図５は本発明の実施の形態におけるシェルのグランド層に接触する部分を示す斜視図であり図４に対応する部分においてＦＰＣを除去した状態を示す図、図６は本発明の実施の形態におけるシェルのグランド層に接触する部分を示す六面図である。なお、図４は説明のために絶縁性材料から成る部材を除去した状態を示し、図６において、（ａ）は上面、（ｂ）は前面、（ｃ）は後面、（ｄ）は左側面、（ｅ）は右側面、（ｆ）は下面を各々示している。
【００３０】
本実施の形態において、シェル４０は、導電性の金属から形成され、ＦＰＣ１０の幅方向、すなわち、第２ガイド部材２２の長手方向に延在する帯状の板部材であり、前記第２ガイド部材２２の下面に取付けられた状態で配設され、シールドとして機能する。なお、前記シェル４０の下面は露出し、ＦＰＣ用コネクタの接地用部材と電気的に接触することができるようになっている。そして、前記シェル４０は、長さ寸法が耳部１１を含めたＦＰＣ１０の幅寸法とほぼ等しく、両端にはほぼ直角に折曲げられて形成された取付片４１及び係合片４２を有する。前記取付片４１は、側面に抜止め防止用の突起を備え、ガイド突起部材２５の取付孔２９に嵌入されて固定される。
【００３１】
また、前記係合片４２は、その先端が内方にほぼ直角に折曲げられて形成された接触部４３、及び、その一部が切起こされて内方にほぼ直角に折曲げられて形成された押付部４５を備える。該押付部４５を形成することによって、係合片４２には開口４６が生じている。なお、前記接触部４３の接触面４３ａ及び押付部４５の上面は、シェル４０の本体部と平行になっている。
【００３２】
そして、前記係合片４２は、挿入開口２４内の両端に位置し、挿入開口２４に挿入されたＦＰＣ１０の耳部１１の側縁部が接触部４３と押付部４５との間に進入するようになっている。なお、接触部４３の後面側の縁には、耳部１１の進入を容易にするために、斜め上方に傾斜して後方に突出する補助片４４が接続されている。この場合、前記係合片４２の上下方向に延在する内向側面は、前記耳部１１の外向側端壁と対向し、ＦＰＣ１０の幅方向の移動を制限する。すなわち、前記係合片４２は、ＦＰＣ１０の幅方向の位置決めを行う部材として機能し、挿入開口２４に挿入されるＦＰＣ１０をガイドする。なお、前記接触部４３も、その内向側面が前記耳部１１の外向側端壁と対向してＦＰＣ１０の幅方向の移動を制限するので、前記係合片４２と同様に、ＦＰＣ１０の幅方向の位置決めを行う部材として機能し、挿入開口２４に挿入されるＦＰＣ１０をガイドする。
【００３３】
また、接触部４３の下面、すなわち、接触面４３ａは耳部１１におけるグランド層１６の上面に当接し、押付部４５の上面は耳部１１における補強フィルム１３の下面に当接する。ここで、押付部４５の上面には突出部４５ａが形成され、該突出部４５ａの上端と接触部４３の接触面４３ａとの間の寸法は、耳部１１の厚さ寸法よりも小さくなっている。また、前記押付部４５は、弾性を備え、ばね部材としても機能する。そのため、接触部４３と押付部４５との間に進入した耳部１１は、ばね部材として機能する押付部４５の付勢力によって上方に付勢され、グランド層１６の上面が接触部４３の接触面４３ａに押付けられる。これにより、グランド層１６の上面が接触部４３の接触面４３ａと確実に接触し、電気的に接続される。
【００３４】
この場合、接触部４３の接触面４３ａは、前後方向に延在する長方形状の平面であるので、グランド層１６の上面と平面的に接触する。さらに、押付部４５の付勢力によってグランド層１６の上面が接触部４３の接触面４３ａに押付けられているので、接触部４３は、接触面４３ａ全体に亘（わた）ってグランド層１６と確実に接触する。このように、接触部４３とグランド層１６とが面接触して接触箇所の面積が広いので、接触部４３とグランド層１６との接触箇所におけるインピーダンスを低く抑えることができる。
【００３５】
このように、本実施の形態において、シールド機能を備えるシェル４０は、挿入開口２４内の両端に位置する接触部４３を両端に備え、該接触部４３は、ＦＰＣ１０の幅方向両端において一方の面に露出するグランド層１６と面接触する。そのため、グランド層１６とシェル４０との接触箇所におけるインピーダンスを低下させて、ノイズの発生を適切に抑制し、かつ、発生したノイズを十分に逃がすことができる。さらに、シールド付ＦＰＣアダプタ２０の構造を簡素化することができる。
【００３６】
また、シェル４０は、挿入開口２４内の両端に位置する押付部４５を両端に備え、該押付部４５は、ＦＰＣ１０の他方の面に当接し、グランド層１６を接触部４３に押付ける。そのため、該接触部４３は、接触面４３ａ全体に亘ってグランド層１６と確実に接触する。
【００３７】
さらに、シェル４０は、本体部に対してほぼ直角に折曲げられて形成され、挿入開口２４内の両端に位置する係合片４２を両端に備え、該係合片４２は、挿入開口２４に挿入されるＦＰＣ１０の幅方向の位置決めを行う。そのため、シールド付ＦＰＣアダプタ２０を正確にＦＰＣ１０に取付けることができる。
【００３８】
さらに、該ＦＰＣ１０の幅方向両端の側端壁は、前記挿入開口２４外に露出しない。そのため、ＦＰＣ用コネクタにシールド付ＦＰＣアダプタ２０が取付けられたＦＰＣ１０を挿入する際に、該ＦＰＣ１０の幅方向両端がＦＰＣ用コネクタの端子等に当接して損傷を受けたり、捲れたりすることが防止される。
【００３９】
なお、本発明は前記実施の形態に限定されるものではなく、本発明の趣旨に基づいて種々変形させることが可能であり、それらを本発明の範囲から排除するものではない。
【図面の簡単な説明】
【００４０】
【図１】本発明の実施の形態におけるシールド付ＦＰＣアダプタを示す斜視図である。
【図２】本発明の実施の形態におけるシールド付ＦＰＣアダプタの詳細を示す斜視図であり図１のＡ部拡大図である。
【図３】本発明の実施の形態におけるＦＰＣの詳細を示す斜視図であり図２に対応する部分を示す図である。
【図４】本発明の実施の形態におけるシェルがグランド層に接触する状態を示す斜視図であり図２に対応する部分を示す図である。
【図５】本発明の実施の形態におけるシェルのグランド層に接触する部分を示す斜視図であり図４に対応する部分においてＦＰＣを除去した状態を示す図である。
【図６】本発明の実施の形態におけるシェルのグランド層に接触する部分を示す六面図である。
【図７】従来のＦＰＣ用コネクタの金属シェルを示す斜視図である。
【符号の説明】
【００４１】
１０    ＦＰＣ
１１    耳部
１２    信号線
１３    補強フィルム
１４    第１絶縁層
１５    第２絶縁層
１６    グランド層
１７    導電性ビアホール
２０    シールド付ＦＰＣアダプタ
２０ａ    アダプタ本体
２１    第１ガイド部材
２２    第２ガイド部材
２３    側壁部材
２４    挿入開口
２４ａ    溝
２５    ガイド突起部材
２５ａ    凹溝
２６    ばねフック
２７    操作部材
２９    取付孔
３０    ロック部材
３１    フック片
４０    シェル
４１    取付片
４２    係合片
４３、３０４    接触部
４３ａ    接触面
４４    補助片
４５    押付部
４５ａ    突出部
４６    開口
３０１    金属シェル
３０２    天板部
３０３    接地用コンタクト
【図１】
0004671854.tif 000002
【図２】
0004671854.tif 000003
【図３】
0004671854.tif 000004
【図４】
0004671854.tif 000005
【図５】
0004671854.tif 000006
【図６】
0004671854.tif 000007
【図７】
0004671854.tif 000008